(57)【特許請求の範囲】
【請求項１】
高層ビルの中間部の階床を乗り継ぎ階とし、前記乗り継ぎ階より下の低層階を複数台の低層用エレベーターでサービスし、前記乗り継ぎ階より上の高層階を複数台の高層用エレベーターでサービスする場合の複数台の低層用エレベーターおよび複数台の高層用エレベーターを群管理制御するエレベーターの群管理制御装置において、低層階に対して複数台の低層用エレベーターを就役させ低層階のホール呼びに対し割り付ける号機を決定しこれを応答させる低層用群管理制御装置と、高層階に対して複数台の高層用エレベーターを就役させ高層階のホール呼びに対し割り付ける号機を決定しこれを応答させる高層用群管理制御装置と、乗り継ぎ階のエレベーターホールで低層用エレベーターから高層用エレベーターに乗り継ぎする利用者の人数または高層用エレベーターから低層用エレベーターに乗り継ぎする利用者の人数を検出する人数検出装置と、前記人数検出装置が低層側乗り継ぎの混雑を検出したときは高層用エレベーターでのホール呼びに対する割当て評価演算結果の中で二番目に最適な号機に割当てさせる制御を行い、前記人数検出装置が高層側乗り継ぎの混雑を検出したときは低層用エレベーターでのホール呼びに対する割当て評価演算結果の中で二番目に最適な号機に割当てさせる制御を行う最適二番号機評価演算装置とを備えたことを特徴とするエレベーターの群管理制御装置。
【発明の詳細な説明】
【０００１】
【発明の属する技術分野】
本発明は、高層ビルの中間部の乗り継ぎ階で区分されて設置された複数台の低層用エレベーターと複数台の高層用エレベーターとを群管理制御するエレベーターの群管理制御装置に関する。
【０００２】
【従来の技術】
規模の大きいビルにおいては複数台のエレベーターが設置されており、この複数台のエレベーターは、一群として群管理制御装置により効率的に運行制御されている。
【０００３】
また、高層ビルにおいては、低層階（例えば１階から２０階）には停止せず高層階（例えば２０階から３０階まで）のみに停止をする高層用エレベーター群と、低層階に停止を行う低層用エレベーター群との二つのエレベーター群を群管理制御装置で管理することがある。
【０００４】
この場合、高層用エレベーターから低層用エレベーターに乗り継ぐ場合に乗り継ぎ階（例えば２０階）にてエレベーターを乗り換える必要があり、ビルの外に出る場合には、高層階にいる人は必ず乗り継ぎ階で低層用エレベーターを待つこととなる。一方、エレベーターホールにおいてエレベーターを待つ人の混雑度を検出する人数検出装置を設置する場合があり、混雑を検知した場合にはエレベーターを混雑検出階に引き戻すことにより乗り継ぎ階の混雑を解消させている。
【０００５】
図１６は、そのような複数群管理エレベーターの概略構成図である。高層ビルには乗り継ぎ階１が設けられ、低層用エレベーター２と高層用エレベーター３とが乗り継ぎ階１にて互いの群管理エレベーターに乗り継ぐようになっている。また、乗り継ぎ階１での混雑度を検出するための人数検出装置４が乗り継ぎ階のエレベーターホールに設置されている。図４では、低層用エレベーター２として３台の号機Ａ、Ｂ、Ｃが設けられ、高層用エレベーター３として３台の号機Ｄ、Ｅ、Ｆが設けられたものを示している。
【０００６】
【発明が解決しようとする課題】
しかしながら、このような複数群管理エレベーターでは、退勤時や昼食時等でビルの外に向かう人が多い場合には、低層階から外に向かう人も多くなるため、低層用エレベーター２が乗り継ぎ階１に応答するまでの時間が長くなってしまう。従って、乗り継ぎ階において低層用エレベーター２を待つ人で溢れかえってしまうという問題点が発生する。
【０００７】
また、同様に外から低層階を通って高層階へ向かう場合には、乗り継ぎ階１において高層用エレベーター３を待つ人で溢れかえってしまうという問題点が発生する。
【０００８】
本発明の目的は、混雑を検出した乗り継ぎ階へ向かうエレベーターが乗り継ぎ階まで到着に要する時間を大きくし、乗り継ぎ階へ向かう乗客の人数を抑制して乗り継ぎ階の混雑度を緩和させることができるエレベーターの群管理制御装置を提供することである。
【０００９】
【課題を解決するための手段】
請求項１の発明に係わるエレベーターの群管理制御装置は、高層ビルの中間部の階床を乗り継ぎ階とし、前記乗り継ぎ階より下の低層階を複数台の低層用エレベーターでサービスし、前記乗り継ぎ階より上の高層階を複数台の高層用エレベーターでサービスする場合の複数台の低層用エレベーターおよび複数台の高層用エレベーターを群管理制御するエレベーターの群管理制御装置において、低層階に対して複数台の低層用エレベーターを就役させ低層階のホール呼びに対し割り付ける号機を決定しこれを応答させる低層用群管理制御装置と、高層階に対して複数台の高層用エレベーターを就役させ高層階のホール呼びに対し割り付ける号機を決定しこれを応答させる高層用群管理制御装置と、乗り継ぎ階のエレベーターホールで低層用エレベーターから高層用エレベーターに乗り継ぎする利用者の人数または高層用エレベーターから低層用エレベーターに乗り継ぎする利用者の人数を検出する人数検出装置と、前記人数検出装置が低層側乗り継ぎの混雑を検出したときは高層用エレベーターでのホール呼びに対する割当て評価演算結果の中で二番目に最適な号機に割当てさせる制御を行い、前記人数検出装置が高層側乗り継ぎの混雑を検出したときは低層用エレベーターでのホール呼びに対する割当て評価演算結果の中で二番目に最適な号機に割当てさせる制御を行う最適二番号機評価演算装置とを備えたことを特徴とする。
【００１０】
請求項１の発明に係わるエレベーターの群管理制御装置においては、最適二番号機評価演算装置は、人数検出装置が低層側乗り継ぎの混雑を検出したときは、高層用エレベーターでのホール呼びに対する割当て評価演算結果の中で二番目に最適な号機に割当てさせる制御を行い、人数検出装置が高層側乗り継ぎの混雑を検出したときは、低層用エレベーターでのホール呼びに対する割当て評価演算結果の中で二番目に最適な号機に割当てさせる制御を行う。
【００２６】
【発明の実施の形態】
以下、本発明の実施の形態を説明する。図１は本発明の参考例１に係わるエレベーターの群管理制御装置の構成図である。低層用エレベーター２内の各号機は、低層用群管理制御装置５によって運行を管理されており、高層用エレベーター３内の各号機は高層用群管理制御装置６によって管理されている。
【００２７】
以下の説明では、人数検出装置４が乗り継ぎ階１において低層側の乗り継ぎの混雑を検知した場合について説明する。この場合、混雑を検出した乗り継ぎ階１へ向かうエレベーターは高層用エレベーターとなる。
【００２８】
乗り継ぎ階１の低層用エレベーターホール前に設置された人数検出装置４からの信号は低層用群管理制御装置および高層用群管理制御装置６に入力され、人数検出装置４が低層側乗り継ぎの混雑を検出したときは、高層用群管理制御装置６は定格速度変更制御装置７に指令を出力して、高層用エレベーター３の速度を通常速度より遅くする。
【００２９】
このように、エレベータの定格速度は混雑を検出した乗り継ぎ階１へ向かうエレベーターが乗り継ぎ階１まで到着に要する時間を大きくするように変更される。これにより、乗り継ぎ階１へ向かう乗客の人数を抑制して乗り継ぎ階１の混雑度を緩和させる。
【００３０】
図２は参考例１に係わるエレベーターの群管理制御装置の動作を示すフローチャートである。まず、人数検出装置４により低層用エレベーターホールの混雑が検知されたか否かを判断し（Ｓ１）、低層用エレベータホールの混雑が検知されたときは、高層用群管理制御装置６より定格速度変更制御装置７に対し定格速度ダウン指令信号が出力される（Ｓ２）。
【００３１】
定格速度変更制御装置７は、高層用エレベーター３の全号機Ｄ、Ｅ、Ｆに対し定格速度を遅くする信号を出力する（Ｓ３）。これにより、高層用エレベーター３の号機Ｄ、Ｅ、Ｆは、通常よりも遅い定格速度で運行を開始する。
【００３２】
この参考例１によれば、人数検出装置４により低層用エレベーターホールでの混雑を検知した場合に、高層用エレベーターの定格速度を遅くすることにより、高層用エレベーター３が乗り継ぎ階まで到着に要する時間を大きくし、高層用エレベーター３から乗り継ぎ階１へ向かう乗客の人数を抑制することで乗り継ぎ階での混雑度の解消となる。
【００３３】
次に、本発明の実施の形態を説明する。図３は本発明の実施の形態に係わるエレベーターの群管理制御装置の構成図である。この実施の形態は、図１に示した参考例１に対し、定格速度変更制御装置７に代えて、最適号機評価演算装置８および最適二番号機評価演算装置９を設けたものであり、特に、人数検出装置４が低層側乗り継ぎの混雑を検出したときは、最適二番号機評価演算装置９により、高層用エレベーター３でのホール呼びに対する割当て評価演算結果の中で二番目に最適な号機に割当てさせる制御を行うようにしたものである。
【００３４】
低層用エレベーター２内の号機Ａ、Ｂ、Ｃは低層用群管理制御装置５によって運行を管理されており、高層用エレベーター３内の号機Ｄ、Ｅ、Ｆは、高層用群管理制御装置６によって管理されている。乗り継ぎ階１の低層用エレベーターホール前に設置された人数検出装置４からの信号は、低層用群管理制御装置５および高層用群管理制御装置６に出力される。
【００３５】
ホール呼びに対する割当て制御は、その呼びに対し最適な号機を選択する最適号機評価演算装置８、もしくはその呼びに対し二番目に最適な号機を選択する最適二番号機評価演算装置９によって決定された号機に割当てられる。
【００３６】
図４は実施の形態に係わるエレベーターの群管理制御装置の動作を示すフローチャートである。高層階にホール呼びが発生したか否かを判定し（Ｓ１１）、高層階にホール呼びが発生した場合には、人数検出装置４が低層用エレベーターホールの混雑を検知したか否かを判定する（Ｓ１２）。人数検出装置４により低層用エレベーターホールの混雑が検知されて場合は、最適号機評価演算装置８により演算が実行され（Ｓ１３）、その演算結果により最適号機が決定される（Ｓ１５）。そして、決定された号機（最適な号機）にホール呼びが割当てられる（Ｓ１７）。
【００３７】
一方、ステップＳ１２の判定で、人数検出装置４により低層用エレベーターホールの混雑が検知された場合は、最適二番号機評価演算装置９により演算が実行され（Ｓ１４）、最適二番号機が決定される（Ｓ１６）。そして、決定された号機（二番目に最適な号機）にホール呼びが割当てられる（Ｓ１７）。
【００３８】
この実施の形態によれば、人数検出装置４により低層用エレベーターホールの混雑を検知した場合は、高層階のホール呼びに対し二番目に最適と評価された号機を割当てることで、高層用エレベーター３が乗り継ぎ階まで到着に要する時間を大きくし、高層用エレベーター３から乗り継ぎ階１へ向かう乗客の人数を抑制することで乗り継ぎ階１での混雑度の解消となる。
【００３９】
次に、本発明の参考例２を説明する。図５は本発明の参考例２に係わるエレベーターの群管理制御装置の構成図である。この参考例２は、図１に示した参考例１に対し、定格速度変更制御装置７に代えて、分散待機ゾーン変更制御装置１０を設けたものであり、人数検出装置４が低層側乗り継ぎの混雑を検出したときは、分散待機ゾーン変更制御装置１０は、サービスを終えた高層用エレベーター３の全号機の待機ゾーンを乗り継ぎ階１へ向かう側の反対の終端階とするようにしたものである。
【００４０】
低層用エレベーター２内の号機Ａ、Ｂ、Ｃは、低層用群管理制御装置５によって運行を管理されており、高層用エレベーター３内の号機Ｄ、Ｅ、Ｆは、高層用群管理制御装置６によって管理されている。乗り継ぎ階１の低層用エレベーターホール前に設置された人数検出装置４からの信号は、低層用群管理制御装置５および高層用群管理制御装置６に出力される。また、高層用エレベーター３のサービス終了時の分散待機ゾーンは分散待機ゾーン変更制御装置１０によって決定される。
【００４１】
図６は参考例２に係わるエレベーターの群管理制御装置の動作を示すフローチャートである。人数検出装置４により低層用エレベーターホールの混雑が検知されたか否かを判定し（Ｓ２１）、人数検出装置４により低層用エレベーターホールの混雑が検知されたときは、高層用群管理制御装置６より分散待機ゾーン変更制御装置１０に対し、分散待機ゾーン変更指令信号が出力される（Ｓ２２）。これにより、分散待機ゾーン変更制御装置１０は、高層用エレベーター３の分散待機ゾーンを最上階に変更する（Ｓ２３）。高層用エレベーター３の号機Ｄ、Ｅ、Ｆはサービス終了時には最上階へ分散待機することとなる。
【００４２】
この参考例２によれば、人数検出装置４により低層用エレベーターホールの混雑を検知した場合は、高層階の分散待機を全号機について最上階に配置するので、高層用エレベーター３が乗り継ぎ階１まで到着に要する時間を大きくし、高層用エレベーター３から乗り継ぎ階１へ向かう乗客の人数を抑制でき、乗り継ぎ階１での混雑度の解消となる。
【００４３】
次に、本発明の参考例３を説明する。図７は本発明の参考例３に係わるエレベーターの群管理制御装置の構成図である。この参考例３は、図１に示した参考例１に対し、定格速度変更制御装置７に代えて、戸開時間延長制御装置１１を設けたものであり、人数検出装置４が低層側乗り継ぎの混雑を検出したときは、戸開時間延長制御装置１１は、高層用エレベーター３の戸開時間を通常の時間より長くする。
【００４４】
低層用エレベーター２内の号機Ａ、Ｂ、Ｃ７は低層用群管理制御装置５によって運行を管理されており、高層用エレベーター３内のＤ、Ｅ、Ｆは高層用群管理制御装置６によって管理されている。乗り継ぎ階１の低層用エレベーターホール前に設置された人数検出装置４からの信号は、低層用群管理制御装置５および高層用群管理制御装置６に出力される。また、高層用エレベーター３の各号機Ａ、Ｂ、Ｃの戸開時間は戸開時間延長制御装置１１によって変更される。
【００４５】
図８は、本発明の参考例３に係わるエレベーターの群管理制御装置の動作を示すフローチャートである。
【００４６】
人数検出装置４が低層用エレベーターホールの混雑を検知したか否かを判定し（Ｓ３１）、人数検出装置４により低層用エレベーターホールの混雑を検知したときは、高層用群管理制御装置６より戸開時間延長制御装置１１に対し戸開時間延長指令信号が出力される（Ｓ３２）。戸開時間延長制御装置１１は、高層用エレベーター３の全号機Ｄ、Ｅ、Ｆに対し、戸開時間を通常の設定時間よりも長くする信号を出力する（Ｓ３３）。これにより、高層用エレベーター３の号機Ｄ、Ｅ、Ｆは戸開時間が通常よりも長くなる。
【００４７】
この参考例３によれば、人数検出装置４により低層用エレベーターホールの混雑を検知した場合は、高層用エレベーター３の戸開時間を通常よりも長くすることで、高層用エレベーター３が乗り継ぎ階１まで到着に要する時間を大きくし、高層用エレベーター３から乗り継ぎ階１へ向かう乗客の人数を抑制することで乗り継ぎ階での混雑度の解消となる。
【００４８】
次に、本発明の参考例４を説明する。図９は本発明の参考例４に係わるエレベーターの群管理制御装置の構成図である。この参考例４は、図１に示した参考例１に対し、定格速度変更制御装置７に代えて、戸開開始時間変更制御装置１２を設けたものであり、人数検出装置４が低層側乗り継ぎの混雑を検出したときは、戸開開始時間変更制御装置１２は高層用エレベーター３の戸開開始時間を遅らせる。
【００４９】
低層用エレベーター２内の号機Ａ、Ｂ、Ｃは、低層用群管理制御装置５によって運行を管理されており、高層用エレベーター３内の号機Ｄ、Ｅ、Ｆは、高層用群管理制御装置６によって管理されている。
【００５０】
乗り継ぎ階１の低層用エレベーターホール前に設置された人数検出装置４からの信号は、低層用群管理制御装置５および高層用群管理制御装置６に出力される。また、高層用エレベーター３の各号機Ｄ、Ｅ、Ｆの戸開開始時間は、戸開開始時間変更制御装置１２によって変更される。
【００５１】
図１０は、参考例４の動作を示すフローチャートである。人数検出装置４により低層用エレベーターホールの混雑を検知すると（Ｓ４１）、高層用群管理制御装置６より戸開開始時間変更制御装置２０に対し戸開開始時間変更指令信号が出力される（Ｓ４２）。戸開開始時間変更制御装置２０は、高層用エレベーター３の全号機Ｄ、Ｅ、Ｆに対し、戸開開始タイミングを変更させる信号を出力する（Ｓ４３）。高層用エレベーター３の号機Ｄ、Ｅ、Ｆの戸開開始タイミングは、各階床に停止が完了してから戸開が開始することとなる。
【００５２】
この参考例４によれば、人数検出装置４により低層用エレベーターホールの混雑を検知した場合は、高層用エレベーター３の戸開開始時間を通常よりも遅くすることで、高層用エレベーター３が乗り継ぎ階まで到着に要する時間を大きくし、高層用エレベーター３から乗り継ぎ階へ向かう乗客の人数を抑制することで乗り継ぎ階での混雑度の解消となる。
【００５３】
次に、本発明の参考例５を説明する。図１１は本発明の参考例５に係わるエレベーターの群管理制御装置の構成図である。この参考例５は、図１に示した参考例１に対し、定格速度変更制御装置７に代えて、休止時間運転制御装置１３を設けたものであり、休止時間運転制御装置１３は、人数検出装置が低層側乗り継ぎの混雑を検出したときは高層用エレベーター内の一定台数のエレベーターの運転を休止させ、人数検出装置が高層側乗り継ぎの混雑を検出したときは低層用エレベーター内の一定台数のエレベーターの運転を休止させる。
【００５４】
低層用エレベーター２内の号機Ａ、Ｂ、Ｃは、低層用群管理制御装置５によって運行を管理されており、高層用エレベーター３内の号機Ｄ、Ｅ、Ｆは、高層用群管理制御装置６によって管理されている。乗り継ぎ階１の低層用エレベーターホール前に設置された人数検出装置４からの信号は、低層用群管理制御装置５および高層用群管理制御装置６に出力される。また、高層用エレベーター３の各号機Ｄ、Ｅ、Ｆは、休止運転制御装置１３により休止運転に切替る。
【００５５】
図１２は参考例５に係わるエレベーター群管理制御装置の動作を示すフローチャートである。人数検出装置４が低層用エレベーターホールの混雑を検知したかに中を判定し（Ｓ５１）、人数検出装置４により低層用エレベーターホールの混雑を検知されると（Ｓ５１）、高層用群管理制御装置６より休止運転制御装置１３に対し休止運転制御指令信号が出力される（Ｓ５２）。休止運転制御装置１３は、高層用エレベーター３の全号機Ｄ、Ｅ、Ｆの中で、例えば号機Ｆを休止運転とさせる信号を出力する（Ｓ５３）。これにより、号機Ｆは休止運転となり、残りの号機Ｄ、Ｅが高層階の全ての呼びに応答する。
【００５６】
この参考例５によれば、人数検出装置４により低層用エレベーターホールの混雑を検知した場合は、高層用エレベーター３の一定台数を休止運転とすることで、高層用エレベーター３が乗り継ぎ階１まで到着に要する時間を大きくし、高層用エレベーター３から乗り継ぎ階１へ向かう乗客の人数を抑制する。従って、乗り継ぎ階１での混雑度の解消となる。
【００５７】
次に、本発明の参考例６を説明する。図１３は本発明の参考例６に係わるエレベーターの群管理制御装置の構成図である。この参考例６は、図１に示した参考例１に対し、定格速度変更制御装置７に代えて、ダミー呼び作成装置１４を設けたものであり、人数検出装置４が低層側乗り継ぎの混雑を検出したときは、ダミー呼び作成装置１４は、無方向停止状態から乗り継ぎ階方向へ向かうホール呼びが割当てられた高層用エレベーターに対し、そのホール呼びに応答する前に乗り継ぎ階１とは反対側の終端階にダミー呼びを作成し、そのダミー呼びに応答してからホール呼びに応答させる。
【００５８】
図１３は参考例６に係わるエレベーターの群管理制御装置の構成図である。低雇用群管理エレベーター２内の号機Ａ、Ｂ、Ｃは、低層用群管理制御装置５によって運行を管理されており、高層用エレベーター３内の号機Ｄ、Ｅ、Ｆは、高層用群管理制御装置６によって管理されている。乗り継ぎ階１の低層用エレベーターホール前に設置された人数検出装置４からの信号は、低層用群管理制御装置５および高層用群管理制御装置６に出力される。また、ダミー呼び作成装置１４は指定号機に対し指定階のダミー呼びを作成する。
【００５９】
図１４は参考例６に係わるエレベーター群管理制御装置の動作を示すフローチャートである。人数検出装置４が低層用エレベーターホールの混雑を検知したか否かを判定し（Ｓ６１）、人数検出装置４により低層用エレベーターホールの混雑を検知されると、高層用群管理制御装置６により各号機Ｄ、Ｅ、Ｆの状態を監視し、無方向停止状態か否かを判定する（Ｓ６２）。そして、無方向停止状態であるときは、下方向のホール呼びの割当があるか否かを判定し（Ｓ６３）、下方向のホール呼びが割当てられた場合には、高層用群管理制御装置６よりダミー呼び作成装置１４に対し、ダミー呼び作成指令信号が出力される（Ｓ６４）。ダミー呼び作成装置１４は、前記ホール呼びが割当てられた号機に対し最上階のダミー呼びを登録する（Ｓ６５）。この号機は最上階のダミー呼びに応答してからホール呼びに応答する。
【００６０】
この参考例６によれば、人数検出装置４により低層用エレベーターホールの混雑を検知した場合は、無方向停止状態から下方向のホール呼びが割当てられた号機に対し、最上階のダミー呼びを作成し、一旦最上階に移動させてからホール呼びに応答させることで、高層用エレベーターが乗り継ぎ階まで到着に要する時間を大きくし、高層用エレベーターから乗り継ぎ階へ向かう乗客の人数を抑制することで乗り継ぎ階での混雑度の解消となる効果がある。
【００６１】
次に、本発明の参考例８を説明する。図１５は本発明の参考例８に係わるエレベーターの群管理制御装置の構成図である。この参考例８は、図１４に示した参考例６に対し、ダミー呼び作成装置１４は、人数検出装置４が低層側乗り継ぎ１の混雑を検出したときは、乗り継ぎ階１へ向かうために方向反転しかご内に人がいない高層用エレベーター３に対し、乗り継ぎ階１とは反対側の終端階にダミー呼びを作成し、そのダミー呼び階に移動してからホール呼びに応答させるようにしたものである。
【００６２】
図１５に示すように、人数検出装置４が低層用エレベーターホールの混雑を検知したか否かを判定し（Ｓ７１）、人数検出装置４により低層用エレベーターホールの混雑を検知されたときと（Ｓ７１）、高層用群管理制御装置６により各号機Ｄ、Ｅ、Ｆの状態を監視し、上方向から下方向への反転か否かを判定する（Ｓ７２）。そして、上方向から下方向への反転である場合には、かご内に人が乗っていないか否かを判定し（Ｓ７３）、上方向から下方向への反転時にかご内に人が乗っていない場合は、高層用群管理制御装置６よりダミー呼び作成装置１４に対し、ダミー呼び作成指令信号が出力される（Ｓ７４）。ダミー呼び作成装置１４は、その反転号機に対し最上階のダミー呼びを登録する（Ｓ７５）。この号機は最上階のダミー呼びに応答してから、下方向の呼びに応答する。
【００６３】
この参考例８によれば、人数検出装置４により低層用エレベーターホールの混雑を検知した場合は、上方向から下方向への反転時にかご内に人が乗っていない号機に対し、最上階のダミー呼びを作成し、一旦最上階に移動させてから下方向の呼びに応答させるので、高層用エレベーター３が乗り継ぎ階１まで到着に要する時間を大きくし、高層用エレベーター３から乗り継ぎ階１へ向かう乗客の人数を抑制する。従って、乗り継ぎ階１での混雑度の解消となる。
【００６４】
以上の説明では、人数検出装置４が乗り継ぎ階１において低層側の乗り継ぎの混雑を検知した場合について説明したが、人数検出装置４が乗り継ぎ階１において高層側の乗り継ぎの混雑を検知した場合についても同様に適用できる。その場合には、混雑を検出した乗り継ぎ階１へ向かうエレベーターは低層用エレベーター２となる。
【００６５】
【発明の効果】
以上述べたように、本発明によれば、混雑を検出した乗り継ぎ階へ向かうエレベーターが乗り継ぎ階まで到着に要する時間を大きくし、乗り継ぎ階へ向かう乗客の人数を抑制することが可能なので、乗り継ぎ階での混雑を解消したエレベーター群管理制御装置を得ることができる。
【図面の簡単な説明】
【図１】  本発明の参考例１に係わるエレベーターの群管理制御装置の構成図。
【図２】  本発明の参考例１に係わるエレベーターの群管理制御装置の動作を示すフローチャート。
【図３】  本発明の実施の形態に係わるエレベーターの群管理制御装置の構成図。
【図４】  本発明の実施の形態に係わるエレベーターの群管理制御装置の動作を示すフローチャート。
【図５】  本発明の参考例２に係わるエレベーターの群管理制御装置の構成図。
【図６】  本発明の参考例２に係わるエレベーターの群管理制御装置の動作を示すフローチャート。
【図７】  本発明の参考例３に係わるエレベーターの群管理制御装置の構成図。
【図８】  本発明の参考例３に係わるエレベーターの群管理制御装置の動作を示すフローチャート。
【図９】  本発明の参考例４に係わるエレベーターの群管理制御装置の構成図。
【図１０】  本発明の参考例４に係わるエレベーターの群管理制御装置の動作を示すフローチャート。
【図１１】  本発明の参考例５に係わるエレベーターの群管理制御装置の構成図。
【図１２】  本発明の参考例５に係わるエレベーターの群管理制御装置の動作を示すフローチャート。
【図１３】  本発明の参考例６に係わるエレベーターの群管理制御装置の構成図。
【図１４】  本発明の参考例６に係わるエレベーターの群管理制御装置の動作を示すフローチャート。
【図１５】  本発明の参考例８に係わるエレベーターの群管理制御装置の動作を示すフローチャート。
【図１６】  複数群管理エレベーターの概略構成図。
【符号の説明】
１…乗り継ぎ階、２…低層用エレベーター、３…高層用エレベーター、４…人数検出装置、５…低層用群管理制御装置、６…高層用群管理制御装置、７…定格速度変更制御装置、８…最適号機評価演算装置、９…最適二番号機評価演算装置、１０…分散待機ゾーン変更制御装置、１１…戸開時間延長制御装置、１２…戸開開始時間変更制御装置、１３…休止時間運転制御装置、１４…ダミー呼び作成装置
【図１】
0004606570.tif 000002
【図２】
0004606570.tif 000003
【図３】
0004606570.tif 000004
【図４】
0004606570.tif 000005
【図５】
0004606570.tif 000006
【図６】
0004606570.tif 000007
【図７】
0004606570.tif 000008
【図８】
0004606570.tif 000009
【図９】
0004606570.tif 000010
【図１０】
0004606570.tif 000011
【図１１】
0004606570.tif 000012
【図１２】
0004606570.tif 000013
【図１３】
0004606570.tif 000014
【図１４】
0004606570.tif 000015
【図１５】
0004606570.tif 000016
【図１６】
0004606570.tif 000017